【事件の表示】
　特願２０１６−　２８１０７「画像読取装置、ステープル判定方法およびステープル判定プログラム」拒絶査定不服審判事件〔平成２９年　８月２４日出願公開、特開２０１７−１４７６０４〕について、次のとおり審決する。
【結　論】
　本件審判の請求は、成り立たない。
【理　由】
第１　手続の経緯
　本願は、平成２８年２月１７日の出願であって、令和１年６月４日付けで拒絶理由が通知され、令和１年８月８日付けで手続補正がされ、令和１年８月１９日付けで拒絶査定がされ、これを不服として令和１年１１月２５日に本件審判請求がされ、同時に手続補正がされたものである。
第２　令和１年１１月２５日にされた手続補正の却下の決定
［補正の却下の決定の結論］
　令和１年１１月２５日にされた手続補正を却下する。
［理由］
１　本件補正の内容
　令和１年１１月２５日にされた手続補正（以下、「本件補正」という。）は、令和１年８月８日付けで補正された特許請求の範囲の請求項１の記載を、本件補正後の請求項１の記載にする補正を含むものであり、本件補正前と本件補正後の請求項１の記載は、それぞれ、次のとおりである。（下線部は、補正箇所である。）
［本件補正前の請求項１］
　原稿積載台に積載される原稿を原稿搬送路に搬送し、前記原稿に形成された画像を読み取る画像読取装置であって、
　前記原稿積載台に積載される原稿を前記原稿搬送路に送り出す原稿送出部と、
　前記原稿送出部により前記原稿が送り出される際、原稿搬送方向と逆方向に向けて超音波または赤外を送信して当該原稿の跳ね上げを検知する跳ね上げ検知部と、
　前記原稿送出部により前記原稿が送り出される際、当該原稿に付されている金属を検知する金属検知部と、
　前記跳ね上げ検知部による検知結果および前記金属検知部による検知結果に基づいて、前記原稿にステープル処理が施されているか否かについて判定するステープル判定部と、
　を備える画像読取装置。
［本件補正後の請求項１］
　原稿積載台に積載される原稿を原稿搬送路に搬送し、前記原稿に形成された画像を読み取る画像読取装置であって、
　前記原稿積載台に積載される原稿を前記原稿搬送路に送り出す原稿送出部と、
　前記原稿送出部により前記原稿が送り出される際、当該原稿に付されている金属を検知する金属検知部と、
　
前記金属検知部よりも原稿搬送方向の上流側に配置され、
　前記
金属
跳ね上げ
　を備える画像読取装置。
２　補正の適否
（１）補正の目的について
　上記補正は、補正前の請求項１に記載した発明特定事項である「跳ね上げ検知部」を、「前記金属検知部よりも原稿搬送方向の上流側に配置され、」と限定する補正事項を含むものであって、補正前の請求項１に記載された発明と補正後の請求項１に記載される発明の産業上の利用分野及び解決しようとする課題は同一であるから、特許請求の範囲の減縮を目的とするものであり、特許法第１７条の２第５項第２号の規定に適合するものである。
（２）独立特許要件について
　以上のように、本件補正は特許請求の範囲の減縮を目的とする補正事項を含むものであるので、本件補正後の請求項１に記載された発明（以下、「本件補正発明」という）が、特許出願の際独立して特許を受けることができるものであるか否か（特許法第１７条の２第６項において準用する同法第１２６条第７項の規定に適合するか否か）について以下に検討する。
ア　本件補正発明
　本件補正発明は、上記本件補正後の請求項１の記載により特定される次のとおりのものである。なお、本願発明の各構成について（Ａ）〜（Ｅ）の符号を付し、以下、構成Ａ〜Ｅと称する。
［本件補正発明］
（Ａ）原稿積載台に積載される原稿を原稿搬送路に搬送し、前記原稿に形成された画像を読み取る画像読取装置であって、
（Ｂ）前記原稿積載台に積載される原稿を前記原稿搬送路に送り出す原稿送出部と、
（Ｃ）前記原稿送出部により前記原稿が送り出される際、当該原稿に付されている金属を検知する金属検知部と、
（Ｄ）前記金属検知部よりも原稿搬送方向の上流側に配置され、前記原稿送出部により前記原稿が送り出される際、原稿搬送方向と逆方向に向けて超音波または赤外を送信して当該原稿の跳ね上げを検知する跳ね上げ検知部と、
（Ｅ）前記金属検知部による検知結果および前記跳ね上げ検知部による検知結果に基づいて、前記原稿にステープル処理が施されているか否かについて判定するステープル判定部と、
（Ａ）を備える画像読取装置。
イ　引用文献、引用発明
（ア）引用文献１の記載事項
　原査定の拒絶の理由に引用された特開２００９−１４９４０７号公報（以下、「引用文献１」という。）には、図面とともに次に掲げる事項が記載されている。
　なお、下線は強調のために当審で付したものである。
「【００２８】
　（第１の実施形態）
　図１は本発明の第１の実施形態であるシート給送装置を説明するための断面図、図２は図１の
シート給送装置を備えるスキャナ
　【００２９】
　図１及び図２に示すように、本実施形態の
シート給送装置は、給紙トレイ（積載台）１０１、ピックアップローラ１０２、給送ローラ１０４、分離ローラ１０５、重送検知手段１０７、及び戻しローラ１０８を備える
　【００３０】
　
ピックアップローラ１０２は、給紙トレイ１０１に積載された原稿（シート）束１００の上面に当接して原稿１００ａを搬送方向に送り出す
　【００３１】
　
ピックアップローラ１０２により送り出された原稿１００ａは、給送ローラ１０４及び分離ローラ１０５によって１枚ずつ分離されて搬送路に給送される
　【００３２】
　
給送ローラ１０４及び分離ローラ１０５とレジストローラ対１１５との間には、原稿の重送を検知する重送検知手段１０７が配置されている
　【００３３】
　重送検知手段１０７には、原稿が一枚の場合と複数枚の場合とで透過する光量の変化により重送を検知する透過型光センサ等の光学式重送検知センサが知られている。また、重送検知手段１０７には、原稿の搬送路を間に挟んで超音波の発信器と受信器とを配置し、原稿が一枚給送されているときの超音波の減衰を基準として、これより大きい減衰を検知したときに重送と判断する超音波式重送検知センサが知られている。
　【００３４】
　給送ローラ１０４及び分離ローラ１０５と重送検知手段１０７との間には、レジストセンサ１０６が配置されており、レジストセンサ１０６による原稿の検知結果を基に不図示の制御手段により次の原稿の給紙タイミング等が決定される。
　【００３５】
　
給送ローラ１０４の軸方向の両端側には、原稿の給紙方向に対して少なくとも逆の方向に回転駆動される一対の戻しローラ（逆搬送手段）１０８が略対称な位置に配置されている
　【００３６】
　図１に示すように、一対の戻しローラ１０８は、その軸線が給送ローラ１０４の軸線と略同等の位置、すなわち、軸方向から見て給送ローラ１０４に重なるように配置されている。なお、一対の戻しローラ１０８は、その軸線が給送ローラ１０４の軸線より搬送路の上流側に配置されていてもよい。
　【００３７】
　また、一対の戻しローラ１０８は、それぞれアーム１０９に支軸１０９ａを介して回転可能に支持されており、アーム１０９は、給紙された原稿の状態に応じて戻しローラ１０８を原稿に当接する位置と退避する位置とに移動可能に配置されている。
　【００３８】
　アーム１０９には、不図示の駆動手段により駆動される駆動プーリ１１０ａが取り付けられており、駆動プーリ１１０ａの回転駆動力がタイミングベルト１１０ｂを介して戻しローラ１０８に取り付けられた従動プーリ１１０ｃに伝達される。これにより、戻しローラ１０８が原稿の給紙方向に対して逆の方向に回転駆動される。
　【００３９】
　また、アーム１０９は、引張りコイルばね１１２によって戻しローラ１０８が一定の荷重で原稿に当接する方向に付勢された状態で、回転レバー１１１のカム作用によって戻しローラ１０８が原稿に当接する位置と、原稿から退避する位置とに揺動する。
　【００４０】
　即ち、アーム１０９は、原稿の正常な分離給送が行われているときは、回転レバー１１１とカム係合することで給紙された原稿から戻しローラ１０８を退避させる位置に変位する。
　【００４１】
　この状態で、回転レバー１１１が回転してアーム１０９とのカム係合が解除されると、アーム１０９は、引張りコイルばね１１２の付勢力により、戻しローラ１０８が給紙された原稿に対して一定の荷重で押圧接触する位置まで揺動する。なお、回転レバー１１１の回転制御及び駆動プーリ１１０ａの駆動手段の制御は、不図示の制御手段によって行われる。
　【００４２】
　戻しローラ１０８に対して搬送路を挟んで対向する位置には、戻し従動ローラ１１４が配置されている。戻し従動ローラ１１４は、搬送ガイド１１３に回転可能に支持されている。
　【００４３】
　
レジストローラ対１１５の下流側には、搬送路を搬送される原稿の画像を光電変換により読み取って画像データとして取り込むための画像読取部１１６が配置されている
　【００４４】
　次に、
上記構成のスキャナの一連の動作
記憶手段（ＲＯＭやハードディスク等）に記憶された制御プログラムが
ＲＡＭにロードされて、
制御手段（ＣＰＵ等）により実行される
　【００４５】
　
まず、制御手段は、
画像読取命令が入力されると、
ピックアップローラ１０２を
移動させると共に回転させる。これにより、ピックアップローラ１０２が給紙トレイ１０１に積載された原稿束１００の上面に当接して、原稿を送り出す動作が開始される
　【００４６】
　
ピックアップローラ１０２によって送り出された原稿は、制御手段の制御により駆動される給送ローラ１０４及び分離ローラ１０５によって１枚ずつ分離されて搬送路に給送される
「【００５４】
　
次に、制御手段は、重送検知手段１０７からの検知信号を基に原稿が重送されているか否かを判断する。そして、原稿が重送されていないと判断した場合は、制御手段は、原稿の搬送を継続して、原稿がレジストローラ対１１５に到達した後、原稿を一定の速度で画像読取部１１６へ搬送して該画像読取部１１６によって原稿の画像の読取処理を行う
　【００５５】
　画像読取部１１６を通過した原稿は、搬送ローラ対１１７及び排紙ローラ対１１８により排紙トレイ１１９へ排出される。以上の動作を原稿１枚ごとに行うことで、給紙トレイ１０１に積載された原稿の画像が画像読取部１１６により全て読取られる。
　【００５６】
　
一方、重送検知手段１０７からの検知信号を基に制御手段が原稿が重送されていると判断した場合は、制御手段は、給送ローラ１０４及び分離ローラ１０５による原稿の分離給送動作を一旦停止するように各ローラ１０４，１０５の駆動系を制御する
　【００５７】
　
このとき、重送した複数枚の原稿は搬送路で停止させられ、
　【００５８】
　次に、制御手段は、回転レバー１１１とアーム１０９とのカム係合が解除されるように回転レバー１１１の回転位置を制御する。これにより、アーム１０９が引張りコイルばね１１２の付勢力により図１の反時計回り方向に回動して、戻しローラ１０８が重送した複数枚の原稿を戻し従動ローラ１１４との間で挟み込んだ状態で該原稿に対して一定の荷重で押圧接触する。
　【００５９】
　
そして、制御手段は、重送した複数枚の原稿を給紙トレイ１０１側
に戻すように、給送ローラ１０４と分離ローラ１０５と戻しローラ１０８との駆動系を制御して各ローラ１０４，１０５，１０８を原稿の給送方向と逆方向に回転させる
　【００６０】
　このとき、重送した複数枚の原稿は重送検知手段１０７又はレジストセンサ１０６を抜けた後、例えば、所定時間又は戻しローラ１０８の駆動モータの所定回転量だけ搬送されて停止する。
　【００６１】
　また、制御手段は、原稿の重送を検知するか否かに関わらず、戻しローラ１０８を原稿の給送方向と逆方向に回転させるようにしておき、アーム１０９の回動により戻しローラ１０８を当接させたり退避させたりするようにしてもよい。
　【００６２】
　重送した複数枚の原稿を給紙トレイ１０１側に戻した後、制御手段は、回転レバー１１１がアーム１０９にカム係合するように該回転レバー１１１の回転位置を制御する。これにより、戻しローラ１０８の外周部が上側の搬送ガイド１１３と略同一面上の位置まで退避する。
　【００６３】
　そして、制御手段は、給紙トレイ１０１側へ戻された原稿を、再度、上記同様にして、搬送路へ分離給送するように、ピックアップローラ１０２、給送ローラ１０４及び分離ローラ１０５等の駆動系を制御する。
　【００６４】
　ここで、本実施形態では、
ピックアップローラ１０２の原稿の幅方向の両側に、搬送路に給送中の原稿の状態を検知する跳ね上がり検知センサ（シート状態検知手段）２０１を配置している
　【００６５】
　
跳ね上がり検知センサ２０１の検知結果に基づいて、制御手段が、重送した複数枚の原稿を給送方向とは逆の方向へ戻す際に、原稿の破損を引き起こす可能性があるか否かを判断する
　【００６６】
　なお、シート状態検知手段には、跳ね上がり検知センサ２０１の他に、例えば、原稿の斜行を検知するセンサ、原稿の搬送ガイドへの乗り上げを検知するセンサ、紙種を検知するセンサ、レジストセンサ近傍での紙詰まりを検知するセンサを例示できる。
　【００６７】
　
ところで、複数枚の原稿を順次分離給送しているときにステープルで束ねられた原稿が混入していると、給送方向へ回転する給送ローラ１０４と、給送方向と逆方向に回転駆動される分離ローラ１０５との作用により、原稿の跳ね上がりが生じる
　【００６８】
　
跳ね上がりが発生した状態で原稿の給送を続けると、原稿が搬送路に詰まり、原稿が破損する。このため、制御手段は、跳ね上がり検知センサ２０１の信号によって原稿の跳ね上がりを検知した場合は、給送ローラ１０４及び分離ローラ１０５の回転を停止させるように各ローラ１０４，１０５の駆動系を制御して原稿の給送を中断する
　【００６９】
　
また、
制御手段は、重送検知手段１０７からの信号により原稿が重送していると判断した場合は、上述したように、重送した複数枚の原稿を給紙トレイ１０１側に戻すように、分離ローラ１０５と戻しローラ１０８との駆動系を制御する。即ち、分離ローラ１０５及び戻しローラ１０８が原稿の給送方向と逆方向に回転駆動される
　【００７０】
　
このとき、制御手段は、跳ね上がり検知センサ２０１からの信号により原稿の跳ね上がりが検知されていた場合は、原稿を給紙トレイ１０１側に戻すと原稿を破損する可能性が高いため、原稿の給紙トレイ１０１側への搬送を中断する
　【００７１】
　
即ち、制御手段は、分離ローラ１０５及び戻しローラ１０８の回転を停止させるように各ローラ１０５，１０８の駆動系を制御する
　【００７２】
　
一方、原稿の重送をできるだけ素早く検知するように重送検知手段１０７は原稿の給送方向のできるだけ上流に配置されている。そのため、原稿の重送を検知した時点では、ステープル止めされた原稿であっても跳ね上がり検知センサ２０１で原稿の跳ね上がりが検知できないことがある
　【００７３】
　
この場合、本実施形態では、重送検知手段１０７からの信号により制御手段が原稿が重送していると判断して、上述したように、重送した複数枚の原稿が給紙トレイ１０１側に戻されることになる
　【００７４】
　ステープル止めされた位置が搬送方向から見て原稿の左上であるとして説明すると、原稿の重送を検知した時点では、原稿のステープル止め部は給送ローラ１０４を通過している可能性が高い。
　【００７５】
　この状態で、原稿を給紙トレイ１０１側に戻す逆搬送を行った場合、原稿のステープル止め部付近が給送ローラ１０４と分離ローラ１０５との間に詰まり、ステープル止めされていない原稿の右側部分のみが、給紙トレイ１０１側に戻されることになる。
　【００７６】
　結果的に、原稿は左側が詰まりによって停止させられた状態で、右側のみが給紙トレイ１０１側に戻され、跳ね上がりが生じる。原稿の跳ね上がりが発生した状態で原稿を給紙トレイ１０１側に戻す逆搬送を続けると、原稿が破損する可能性がある。
　【００７７】
　また、原稿の跳ね上がりが発生しない場合においても、給紙トレイ１０１側に逆搬送される原稿が給紙トレイ１０１に積載された原稿束の中に入り込んだり、他の原稿を押し出したりして積載順が乱れたりする可能性がある。
　【００７８】
　図４及び図５は、給紙トレイ１０１に積載された原稿の積載順が乱れてしまう現象を説明するための説明図である。
　【００７９】
　図４において、重送原稿１００ａの後端が原稿束１００の前端よりも下流側へ送られてから重送原稿１００ａが逆搬送される場合、原稿束１００の一部を押し上げて、原稿束１００の間に入り込む場合がある。
　【００８０】
　図５に示すように、跳ね上がり検知センサ２０１は、給紙トレイ１０１の給紙口側の端部にできるだけ近い位置、すなわち原稿束１００の先端に対して近い位置に配置される。跳ね上がり検知センサ２０１の発光部２０１ａから発光される光は矢印Ｅで示される方向に照射され、跳ね上がり検知センサ２０１の受光部２０１ｂで受光される。
　【００８１】
　ここで、給紙トレイ１０１側に逆搬送された重送原稿１００ａが原稿束１００の先端部を押して原稿束１００の間に入り込む動作が行われると、原稿束１００の一部の原稿は上方向に押し上げられ、発光部２０１ａから照射される光が遮られる。これにより、受光部２０１ｂの出力信号が変化するため、跳ね上がり検知センサ２０１を用いることで、原稿の積載順が乱れた状態を検知することができる。
　【００８２】
　
そこで、
制御手段は、原稿の分離給送動作中のみならず、重送した原稿を給紙トレイ１０１側に戻す逆搬送中にも跳ね上がり検知センサ２０１の出力信号を監視する
　【００８３】
　
そして、制御手段は、原稿を給紙トレイ１０１側に戻す逆搬送中に跳ね上がり検知センサ２０１からの信号により原稿の跳ね上がりや原稿の積載順の乱れを検知した場合は、原稿を給紙トレイ１０１側へ戻す逆搬送を中断する
　【００８４】
　即ち、制御手段は、給送ローラ１０４、分離ローラ１０５及び戻しローラ１０８の回転を停止させるように各ローラ１０４、１０５，１０８の駆動系を制御する。」
「【図２】
」
（イ）引用文献１に記載された発明
　上記（ア）の記載事項の特に下線部によれば、引用文献１には、次の発明（以下、「引用発明」という。）が記載されていると認められる。
　なお、引用発明の各構成の符号は、説明のために当審にて付したものであり、以下、構成ａないし構成ｅと称する。また、【】内は、対応する構成が記載された引用文献１の段落番号を示す。
［引用発明］
（ａ）シート給送装置を備えるスキャナであって、【００２８】
（ａ１）シート給送装置は、給紙トレイ（積載台）１０１、ピックアップローラ１０２、給送ローラ１０４、分離ローラ１０５、重送検知手段１０７、及び戻しローラ１０８を備え、【００２９】
（ａ２）ピックアップローラ１０２は、給紙トレイ１０１に積載された原稿（シート）束１００の上面に当接して原稿１００ａを搬送方向に送り出し、【００３０】
（ａ３）ピックアップローラ１０２により送り出された原稿１００ａは、給送ローラ１０４及び分離ローラ１０５によって１枚ずつ分離されて搬送路に給送され、【００３１】
（ａ４）給送ローラ１０４及び分離ローラ１０５とレジストローラ対１１５との間には、原稿の重送を検知する重送検知手段１０７が配置され、【００３２】
（ａ５）給送ローラ１０４の軸方向の両端側には、原稿の給紙方向に対して少なくとも逆の方向に回転駆動される一対の戻しローラ（逆搬送手段）１０８が略対称な位置に配置され、【００３５】
（ａ６）レジストローラ対１１５の下流側には、搬送路を搬送される原稿の画像を光電変換により読み取って画像データとして取り込むための画像読取部１１６が配置され、【００４３】
（ｂ）上記構成のスキャナの一連の動作は、記憶手段（ＲＯＭやハードディスク等）に記憶された制御プログラムがＲＡＭにロードされて、制御手段（ＣＰＵ等）により実行され、【００４４】
（ｂ１）まず、制御手段は、画像読取命令が入力されると、ピックアップローラ１０２を移動させると共に回転させ、これにより、ピックアップローラ１０２が給紙トレイ１０１に積載された原稿束１００の上面に当接して、原稿を送り出す動作が開始され、【００４５】
（ｂ２）ピックアップローラ１０２によって送り出された原稿は、制御手段の制御により駆動される給送ローラ１０４及び分離ローラ１０５によって１枚ずつ分離されて搬送路に給送され、【００４６】
（ｂ３）次に、制御手段は、重送検知手段１０７からの検知信号を基に原稿が重送されているか否かを判断し、そして、原稿が重送されていないと判断した場合は、制御手段は、原稿の搬送を継続して、原稿がレジストローラ対１１５に到達した後、原稿を一定の速度で画像読取部１１６へ搬送して該画像読取部１１６によって原稿の画像の読取処理を行い、【００５４】
（ｂ４）一方、重送検知手段１０７からの検知信号を基に制御手段が原稿が重送されていると判断した場合は、制御手段は、給送ローラ１０４及び分離ローラ１０５による原稿の分離給送動作を一旦停止するように各ローラ１０４，１０５の駆動系を制御し、【００５６】
（ｂ５）このとき、重送した複数枚の原稿は搬送路で停止させられ、【００５７】
（ｂ６）そして、制御手段は、重送した複数枚の原稿を給紙トレイ１０１側に戻すように、給送ローラ１０４と分離ローラ１０５と戻しローラ１０８との駆動系を制御して各ローラ１０４，１０５，１０８を原稿の給送方向と逆方向に回転させ、【００５９】
（ｂ７）ピックアップローラ１０２の原稿の幅方向の両側に、搬送路に給送中の原稿の状態を検知する跳ね上がり検知センサ（シート状態検知手段）２０１を配置し、【００６４】
（ｂ８）跳ね上がり検知センサ２０１の検知結果に基づいて、制御手段が、重送した複数枚の原稿を給送方向とは逆の方向へ戻す際に、原稿の破損を引き起こす可能性があるか否かを判断し、【００６５】
（ｂ９）ところで、複数枚の原稿を順次分離給送しているときにステープルで束ねられた原稿が混入していると、給送方向へ回転する給送ローラ１０４と、給送方向と逆方向に回転駆動される分離ローラ１０５との作用により、原稿の跳ね上がりが生じ、【００６７】
（ｂ１０）跳ね上がりが発生した状態で原稿の給送を続けると、原稿が搬送路に詰まり、原稿が破損するため、制御手段は、跳ね上がり検知センサ２０１の信号によって原稿の跳ね上がりを検知した場合は、給送ローラ１０４及び分離ローラ１０５の回転を停止させるように各ローラ１０４，１０５の駆動系を制御して原稿の給送を中断し、【００６８】
（ｂ１１）また、制御手段は、重送検知手段１０７からの信号により原稿が重送していると判断した場合は、上述したように、重送した複数枚の原稿を給紙トレイ１０１側に戻すように、分離ローラ１０５と戻しローラ１０８との駆動系を制御し、即ち、分離ローラ１０５及び戻しローラ１０８が原稿の給送方向と逆方向に回転駆動され、【００６９】
（ｂ１２）このとき、制御手段は、跳ね上がり検知センサ２０１からの信号により原稿の跳ね上がりが検知されていた場合は、原稿を給紙トレイ１０１側に戻すと原稿を破損する可能性が高いため、原稿の給紙トレイ１０１側への搬送を中断し、【００７０】
（ｂ１３）即ち、制御手段は、分離ローラ１０５及び戻しローラ１０８の回転を停止させるように各ローラ１０５，１０８の駆動系を制御し、【００７１】
（ｂ１４）一方、原稿の重送をできるだけ素早く検知するように重送検知手段１０７は原稿の給送方向のできるだけ上流に配置され、そのため、原稿の重送を検知した時点では、ステープル止めされた原稿であっても跳ね上がり検知センサ２０１で原稿の跳ね上がりが検知できないことがあり、【００７２】
（ｂ１５）この場合、重送検知手段１０７からの信号により制御手段が原稿が重送していると判断して、上述したように、重送した複数枚の原稿が給紙トレイ１０１側に戻されることになり、【００７３】
（ｂ１６）そこで、制御手段は、原稿の分離給送動作中のみならず、重送した原稿を給紙トレイ１０１側に戻す逆搬送中にも跳ね上がり検知センサ２０１の出力信号を監視し、【００８２】
（ｂ１７）そして、制御手段は、原稿を給紙トレイ１０１側に戻す逆搬送中に跳ね上がり検知センサ２０１からの信号により原稿の跳ね上がりや原稿の積載順の乱れを検知した場合は、原稿を給紙トレイ１０１側へ戻す逆搬送を中断する、【００８３】
（ａ）スキャナ。
（ウ）引用文献２の記載事項
　原査定の拒絶の理由に引用された特開２００５−２６３３３９号公報（以下、「引用文献２」という。）には、図面とともに次に掲げる事項が記載されている。
　なお、下線は強調のために当審で付したものである。
「【０００１】
　本発明は、原稿等の画像を読み取るイメージスキャナや複写機などの、
原稿等を分離して画像処理部へ搬送する給紙装置
「【００２１】
　図１は本発明の一実施の形態である異物検知手段を示す断面図、図２は図１の異物検知手段の分解斜視図、
図３は図１の異物検知手段の給紙分離機構部への一搭載例を示す図
「【００２６】
　更に図２及び図３を用いて詳細に説明すると、上記状態で原稿１０５が給紙され原稿搬送パス５を原稿１０５が通過する。原稿１０５にステープル２００などの金属異物が付着していない場合は、磁束１０のφの変化は小さいので、検知コイル６には電流はほとんど発生しない。一方、
原稿１０５がステープル止めをされている場合
ステープル２００が磁束１０を横切るように通過することによってステープル２００に渦電流が発生し、渦電流が発生する磁界が検知コイル６を通過する磁束１０を変化させ、検知コイル６にはこの磁束１０の変化を打ち消す方向に電流生起する。つまり、励磁コイル１に直流電流を印加すると、電流値とコイルの巻き数に比例した強さで磁界が発生し、電流値が一定になると磁界の強さも一定になる。
発生した磁界の中を金属の異物が通過すると、その金属異物に渦電流を生起するため磁界が変化し、その結果、検知コイル６に磁界の変化を打ち消すような電流が流れる。
検知抵抗１３の両端に電位差Vrを発生するので、これを増幅しADコンバータなどでディジタル変換すれば、ステープルなどの金属異物が存在するとして検出することができる
「【００２８】
　また、本発明は、連続的に原稿を給紙しなければならない場合においても、その給紙速度を低下させることなく、
金属で形成されているステープルやクリップなど金属異物を原稿１０５が給紙される前に検出
【００２９】
　つまり、
原稿搬送パス５をはさんで、一方に磁界を生起する励磁コイル１を、対向する他方に励磁コイル１の磁界による磁束１０を通過させる検知コイル６を配置し、これらの２つのコイル１、コイル６で形成する磁気回路が原稿搬送パス５を横切るように構成して一定の強度の磁界を発生させ、磁界を横切るように原稿等１０５を搬送させることにより、原稿搬送パスに搬送される原稿１０５に残ったステープルなどの金属異物が付着している場合に
異物の存在を検出することができる
「【図３】
」
（エ）引用文献３の記載事項
　原査定の拒絶の理由に引用された特開平９−２２６９８０号公報（以下、「引用文献３」という。）には、図面とともに次に掲げる事項が記載されている。
　なお、下線は強調のために当審で付したものである。
「【０００１】
【発明の属する技術分野】
　この発明は、
複写機等の装置に対して原稿を１枚ずつ供給する自動原稿送り装置に関し、特に、原稿トレイに綴じ原稿が載置されたこと検出する機能を備えた自動原稿送り装置
「【００３２】
　また、図１１に示すように、
原稿トレイ２上において略水平方向に対向して配置された発光素子８１と受光素子８２とにより持ち上げ検出センサを構成する
「【図１１】
」
ウ　本件補正発明と引用発明との対比
（ア）構成Ａについて
　構成ａの「シート給送装置を備えるスキャナ」は、構成ａ１〜構成ａ６によれば、「給紙トレイ（積載台）１０１に積載された・・原稿１００ａを搬送方向に送り出し、・・送り出された原稿１００ａは、・・搬送路に給送され、・・搬送路を搬送される原稿の画像を・・読み取って画像データとして取り込む」ものであり、「給紙トレイ（積載台）１０１」、「搬送路」、「スキャナ」は、それぞれ、構成Ａの「原稿積載台」、「原稿搬送路」、「画像読取装置」に相当する。
　したがって、本件補正発明と引用発明は、構成Ａで一致する。
（イ）構成Ｂについて
　構成ａ２、ａ３によれば、「ピックアップローラ１０２は、給紙トレイ１０１に積載された・・原稿１００ａを搬送方向に送り出し」、「送り出された原稿１００ａは、給送ローラ１０４及び分離ローラ１０５によって１枚ずつ分離されて搬送路に給送され、」るから、「ピックアップローラ１０２」及び「給送ローラ１０４及び分離ローラ１０５」は、構成Ｂの「原稿送出部」に相当する。
　したがって、本件補正発明と引用発明は、構成Ｂで一致する。
（ウ）構成Ｃについて
　本件補正発明は、「（Ｃ）前記原稿送出部により前記原稿が送り出される際、当該原稿に付されている金属を検知する金属検知部」を備えるのに対し、引用発明は、そのような金属検知部を備えない点（相違点１）で両者は相違する。
（エ）構成Ｄについて
　構成ｂ７によれば、「ピックアップローラ１０２の原稿の幅方向の両側に、搬送路に給送中の原稿の状態を検知する跳ね上がり検知センサ（シート状態検知手段）２０１」が配置されており、この「跳ね上がり検知センサ２０１」は、構成Ｄの「原稿の跳ね上げを検知する跳ね上げ検知部」に相当する。
　構成ｂ９によれば、「跳ね上がり検知センサ２０１」は、「複数枚の原稿を順次分離給送しているときに・・、原稿の跳ね上がりが生じ、」原稿の跳ね上げを検知する。
　したがって、本件補正発明と引用発明は、「（Ｄ’）前記原稿送出部により前記原稿が送り出される際、当該原稿の跳ね上げを検知する跳ね上げ検知部」を備えるといえる点で共通する。
しかしながら、跳ね上げ検知部について、本件補正発明は、「前記金属検知部よりも原稿搬送方向の上流側に配置され」るものであるのに対し、引用発明は、金属検知部を備えないため、金属検知部よりも原稿搬送方向の上流側に配置されるとはいえない点（相違点２）、及び、跳ね上げ検知部について、本件補正発明は、「原稿搬送方向と逆方向に向けて超音波または赤外を送信して当該原稿の跳ね上げを検知する」ものであるのに対し、引用発明は、そのようなものではない点（相違点３）で両者は相違する。
（オ）構成Ｅについて
　構成ｂ９、ｂ１０によれば、「複数枚の原稿を順次分離給送しているときにステープルで束ねられた原稿が混入していると、・・原稿の跳ね上がりが生じ、跳ね上がりが発生した状態で原稿の給送を続けると、原稿が搬送路に詰まり、原稿が破損するため、制御手段は、跳ね上がり検知センサ２０１の信号によって原稿の跳ね上がりを検知した場合は、・・原稿の給送を中断」するから、制御手段は、跳ね上がりを検知することで、原稿がステープルで束ねられたものか否かを判定しているともいえる。
　したがって、本件補正発明と引用発明は、「（Ｅ’）前記跳ね上げ検知部による検知結果に基づいて、前記原稿にステープル処理が施されているか否かについて判定するステープル判定部」を備えるといえる点で共通する。
　しかしながら、ステープル判定部について、本件補正発明は、「前記金属検知部による検知結果および前記跳ね上げ検知部による検知結果に基づいて、前記原稿にステープル処理が施されているか否かについて判定する」ものであるのに対し、引用発明は、跳ね上がりを検知することで、原稿がステープルで束ねられたものか否かを判定するものではあるが、金属検知部を備えないため、金属検知部による検知結果には基づかない点（相違点４）で両者は相違する。
（カ）一致点、相違点
　以上をまとめると、本件補正発明と引用発明の一致点及び相違点は、次のとおりである。
［一致点］
（Ａ）原稿積載台に積載される原稿を原稿搬送路に搬送し、前記原稿に形成された画像を読み取る画像読取装置であって、
（Ｂ）前記原稿積載台に積載される原稿を前記原稿搬送路に送り出す原稿送出部と、
（Ｄ’）前記原稿送出部により前記原稿が送り出される際、当該原稿の跳ね上げを検知する跳ね上げ検知部と、
（Ｅ’）前記跳ね上げ検知部による検知結果に基づいて、前記原稿にステープル処理が施されているか否かについて判定するステープル判定部と、
（Ａ）を備える画像読取装置。
［相違点］
相違点１
　本件補正発明は、「（Ｃ）前記原稿送出部により前記原稿が送り出される際、当該原稿に付されている金属を検知する金属検知部」を備えるのに対し、引用発明は、そのような金属検知部を備えない点。
相違点２
　跳ね上げ検知部について、本件補正発明は、「前記金属検知部よりも原稿搬送方向の上流側に配置され」るものであるのに対し、引用発明は、金属検知部を備えないため、金属検知部よりも原稿搬送方向の上流側に配置されるとはいえない点。
相違点３
　跳ね上げ検知部について、本件補正発明は、「原稿搬送方向と逆方向に向けて超音波または赤外を送信して当該原稿の跳ね上げを検知する」ものであるのに対し、引用発明は、そのようなものではない点。
相違点４
　ステープル判定部について、本件補正発明は、「前記金属検知部による検知結果および前記跳ね上げ検知部による検知結果に基づいて、前記原稿にステープル処理が施されているか否かについて判定する」ものであるのに対し、引用発明は、跳ね上がりを検知することで、原稿がステープルで束ねられたものか否かを判定するものではあるが、金属検知部を備えないため、金属検知部による検知結果には基づかない点。
エ　判断
（ア）相違点についての検討
・相違点１、２、４について
　引用発明は、上述したように、「跳ね上げ検知部による検知結果に基づいて、前記原稿にステープル処理が施されているか否かについて判定する」ものであるといえるが、構成ｂ１４によれば、「原稿の重送を検知した時点では、ステープル止めされた原稿であっても跳ね上がり検知センサ２０１で原稿の跳ね上がりが検知できないこと」があるものであり、構成ｂ１６によれば、「そこで、制御手段は、原稿の分離給送動作中のみならず、重送した原稿を給紙トレイ１０１側に戻す逆搬送中にも跳ね上がり検知センサ２０１の出力信号を監視」するものである。
　したがって、引用発明は、原稿を給送しているときにステープル処理が施されているか否かについて判定できない場合があり、この課題を解決しようとする動機があるといえる。
　一方、引用文献２に記載されているような、原稿搬送パスに搬送される原稿にステープルなどの金属異物が付着していることを検出する手段（本願補正発明でいう「原稿送出部により原稿が送り出される際、当該原稿に付されている金属を検知する金属検知部」）は、古くから用いられている周知の手段である。
　したがって、引用発明において、原稿を給送しているときにステープル処理が施されているか否かについて判定するために、「跳ね上げ検知部」に加えて、「金属検知部」をも備え、「前記金属検知部による検知結果および前記跳ね上げ検知部による検知結果に基づいて、前記原稿にステープル処理が施されているか否かについて判定する」ようにすることは、当業者が容易に想到し得ることであり、また、金属検知部を備えた具体的な構造を、引用文献１の【図２】及び引用文献２の【図３】に基づいて想定すると、金属検知部は給紙ローラの下流側に、跳ね上げ検知部は給紙ローラの上流側に配置されると想定されるから、「跳ね上げ検知部」は、「前記金属検知部よりも原稿搬送方向の上流側に配置され」ることとなるのは明らかである。
・相違点３について
　原稿送り装置（スキャナ）に備えられる原稿の跳ね上げを検知するセンサの構成として、原稿搬送方向と逆方向に向けて光を送信する構成は、例えば、引用文献３に記載されているように周知のものであり、また、上記光の代わりに超音波や赤外を採用することも普通に行われることである。
さらに、引用発明における跳ね上がり検知センサとして、必要に応じて任意の構成が採用可能であることは当業者に明らかである。
　したがって、引用発明において、跳ね上がり検知センサとして、原稿搬送方向と逆方向に向けて超音波や赤外を送信して当該原稿の跳ね上げを検知する構成を採用することは、当業者が容易に想到し得ることであり、そのことを阻害する要因もない。
（イ）効果について
　本件補正発明が奏する効果は、上記容易想到である構成から当業者が予測し得るものである。
（ウ）判断のむすび
　よって、本願補正発明は、引用文献１に記載された発明および引用文献２、３に記載された技術に基づいて当業者が容易に発明をすることができたものである。
オ　独立特許要件のむすび
　以上のとおりであるから、本件補正発明は、特許法第２９条第２項の規定により、特許出願の際独立して特許を受けることができないものである。
（３）補正却下の決定の理由のむすび
　よって、本件補正は、特許法第１７条の２第６項において準用する同法第１２６条第７項の規定に違反するので、同法第１５９条第１項の規定において読み替えて準用する同法第５３条第１項の規定により却下すべきものである。
　よって、上記補正の却下の決定の結論のとおり決定する。
第３　本願発明について
１　本願発明
　令和１年１１月２５日にされた手続補正は上記のとおり却下されたので、本願の請求項１−６に係る発明は、令和１年８月８日付け手続補正書により補正された特許請求の範囲の請求項１−６に記載された事項により特定されるものであるところ、その請求項１に係る発明（以下、「本願発明」という。）は、次のとおりである。
［本願発明］
　原稿積載台に積載される原稿を原稿搬送路に搬送し、前記原稿に形成された画像を読み取る画像読取装置であって、
　前記原稿積載台に積載される原稿を前記原稿搬送路に送り出す原稿送出部と、
　前記原稿送出部により前記原稿が送り出される際、原稿搬送方向と逆方向に向けて超音波または赤外を送信して当該原稿の跳ね上げを検知する跳ね上げ検知部と、
　前記原稿送出部により前記原稿が送り出される際、当該原稿に付されている金属を検知する金属検知部と、
　前記跳ね上げ検知部による検知結果および前記金属検知部による検知結果に基づいて、前記原稿にステープル処理が施されているか否かについて判定するステープル判定部と、
　を備える画像読取装置。
２　原査定における拒絶の理由の概要
　原査定の拒絶の理由の概要は、この出願の請求項１に係る発明は、本願の出願日前に日本国内又は外国において、頒布された又は電気通信回線を通じて公衆に利用可能となった以下の引用文献１−４に記載された発明及び技術に基づいて、その出願前にその発明の属する技術の分野における通常の知識を有する者が容易に発明をすることができたものであるから、特許法第２９条第２項の規定により特許を受けることができない、というものである。
引用文献１　特開２００９−１４９４０７号公報
引用文献２　特開平９−２２６９８０号公報
引用文献３　特開２００５−２６３３３９号公報
引用文献４　特開平１１−３３１４８２号公報
３　引用発明
　引用文献１には、上記「第２　２（２）イ（イ）」の引用発明が記載されている。
４　対比・判断
　本願発明は、上記「第２　２（２）」で検討した本件補正発明から、「跳ね上げ検知部」について、「前記金属検知部よりも原稿搬送方向の上流側に配置され、」との限定事項を省いたものであるから、上記引用発明とは、上記相違点１、３、４で相違し、その余の点で一致する。
　したがって、上記「第２　２（２）エ」と同様の検討により、本願発明は、引用文献１に記載された発明および引用文献２、３（原査定における引用文献３、２）に記載された技術に基づいて当業者が容易に発明をすることができたものである。
第４　むすび
　以上のとおりであるから、本願の請求項１に係る発明は、特許法第２９条第２項の規定により特許を受けることができない。
　したがって、本願は、その余の請求項について論及するまでもなく、拒絶すべきものである。
　よって、結論のとおり審決する。